(57)【特許請求の範囲】
【請求項１】
トラクタ等耕運機のロータリー等の左右の両端の弓形耕転爪のホルダーの耕転爪固定用ボルトにより右端の弓形耕転爪のホルダーには、このホルダーに向かって左側に、左端の弓形耕転爪のホルダーには、このホルダーに向かって右側に着脱用藁草屑等巻き付き防止ピンを取り付け、前記着脱用藁草屑等巻き付き防止ピンは、それぞれの耕転爪固定用ボルトの取り付け位置から棒状の形で立ち上がり弓形耕転爪との間に空間をおいて上部を弓形耕転爪に沿って弓形耕転爪の先端に向かってかぶせるような形でヘの字に曲がり弓形耕転爪の切り歯いわゆる楔形の始まる位置の上部まで伸ばし、弾性機能を持つと共に、このピンの断面は円形の形状をしていることを特徴とする藁草屑等巻き付き防止装置。
【請求項２】
トラクタ等耕運機のロータリー等の左右の両端の弓形耕転爪のホルダーの上の部分に直接、弓形耕転爪ホルダー固定用藁草屑等巻き付き防止ピンを取り付け、前記弓形耕転爪ホルダー固定用藁草屑等巻き付き防止ピンは、前記弓形耕転爪ホルダー固定用藁草屑等巻き付き防止ピンの取り付け位置から棒状の形で立ち上がり弓形耕転爪との間に空間をおいて上部を弓形耕転爪に沿って弓形耕転爪の先端に向かってかぶせるような形でヘの字に曲がり弓形耕転爪の切り歯いわゆる楔形の始まる位置の上部まで伸ばし、弾性機能を持つと共に、このピンの断面は円形の形状をしていることを特徴とする藁草屑等巻き付き防止装置。
【請求項３】
トラクタ等耕運機のロータリー等の左右の耕転爪の回転軸の軸受けケースに取り付けてある土はね防止カバーを利用してボルトにより右側の土はね防止カバーには右側の土はね防止カバーの右側いわゆる土はね防止カバーの表側に、左側の土はね防止カバーには左側の土はね防止カバーの左側いわゆる土はね防止カバーの表側に着脱用藁草屑等巻き付き防止ガイドを取り付け、前記着脱用藁草屑等巻き付き防止ガイドは、着脱用藁草屑等巻き付き防止ガイドの取り付け位置から棒状で、トラクタ等の進行方向に対し後ろ側へ横に伸ばし土はね防止カバーの端で土はね防止カバーの内側いわゆるロータリー内へくの字に折れ曲がり耕転爪の回転軸の上部まで伸び、弾性機能を持つと共に、このガイドの断面は、円形の形状をしていることを特徴とする藁草屑等巻き付き防止装置。
【発明の詳細な説明】
【技術分野】
【０００１】
本発明は、トラクタ等耕運機のロータリーの弓形耕転爪の藁草屑等巻き付き防止に関するものである。
【背景技術】
【０００２】
トラクタ等耕運機のロータリーの弓形耕転爪に藁草屑等が巻き付くとロータリー装置が不安定になり耕運作業を一時中断し藁草屑等を取り除く必要がある。この藁草屑等は、耕転爪、軸等に固着し取り除くのに相当の力と時間を要し作業に支障をきたしている。
【０００３】
この改善策として従来巻き付き防止杆（特許文献１）、ワイヤー部材（特許文献２）等の開発がなされているが、実用上はこの巻き付き防止杆、ワイヤー部材等の着脱作業に相当の時間を要すること、巻き付き防止杆、ワイヤー部材等を取り付けて作業していると深耕不足、馬力不足等が生じていることの問題がある。
【特許文献１】特開２００２−３４５３０７（Ｐ２００２−３４５３０７Ａ）←巻き付き防止杆方式
【特許文献２】特開２０００−２９５９０１（Ｐ２０００−２９５９０１Ａ）←ワイヤー部材方式
【発明の開示】
【発明が解決しようとする課題】
【０００４】
ロータリー耕転作業中、弓形耕転爪部分に特に図２の符号３及び４の部分に藁草屑等が巻き付き固着すると耕転の深さが浅くなること、藁草屑等の巻き付きが大きくなると耕運機の回転に負担がかかりエンジンが停止してしまうこと、耕転爪回転軸の支え部分が過熱して破損に至る原因になること等がある。したがって、この藁草屑等の巻き付き防止を図るとともに藁草屑等の除去作業等の軽減を図る必要がある。
【課題を解決するための手段】
【０００５】
トラクタ等耕運機の耕転爪回転軸及び耕転爪は振動しないよう固定されている。特に弓形耕転爪の部分には藁草屑等が巻き付き固着蓄積しやすく耕転機能に支障をきたしている。したがって、この弓形耕転爪の上の部分に本発明の弾性機能を持つ弓形耕転爪ホルダー着脱用・藁草屑等巻き付き防止ピン１４・１５・１６・１７の装置を図３〜図８のように着脱式又は、図９〜図１４のように固定式の方法により取り付けて藁草屑等巻き付き固着蓄積を防止する発明である。
【０００６】
また、トラクタ等耕運機の耕転爪回転軸の軸受けケース９には、土はね防止カバー１０・１１が取り付けられているため凹凸いわゆる隙間２０があり藁草屑等が引っ掛かりやすく固着蓄積しやすくなっている。この藁草屑等の流れをよくするために弾性機能を持つ土はね防止カバー用着脱用藁草屑等固着蓄積防止ガイド１８・１９の装置を図３〜８・図１０・図１１・図１３・図１４のように土はね防止カバーを利用して取り付けて藁草屑等の巻き付き固着蓄積を防止する発明である。
【発明の効果】
【０００７】
弓形耕転爪の上の部分に本発明の弾性機能を持つ藁草屑等巻き付き防止ピン１４・１５・１６・１７の装置を取り付けることにより、前記弾性機能を持つ藁草屑等巻き付き防止ピン１４・１５・１６・１７に巻き付き固着蓄積する藁草屑等がスムースに後方いわゆる弓形耕転爪の先端へ流動し弓形耕転爪の藁草屑等の固着蓄積を防止することができる。また、耕転爪回転軸５の軸受けケース９の土はね防止カバー１０・１１に弾性機能を持つ土はね防止カバー用着脱用藁草屑等固着蓄積防止ガイド１８・１９の装置を取り付けることにより耕転爪回転軸５の軸受けケース９と土はね防止カバー１０・１１との間の凹凸いわゆる隙間２０に藁草屑等の固着蓄積が防止され耕転中における作業を中断してロータリーの耕転爪回転軸５の軸受けケース９と土はね防止カバー１０・１１との間の凹凸いわゆる隙間２０に巻き付いた藁草屑等を除去する作業が無くなり耕転作業が円滑にできる。なお、従来の技術に比べ本発明の装置は、部材の形状が小さく単純で軽量で抵抗が無く、少ない部品数で着脱が簡単で常時取り付けておいても耕転作業等には影響しない。
【発明を実施するための最良の形態】
【０００８】
本発明は、トラクタのロータリー機構、馬力アップ等を変更しないで少ない部品数で単純な構造で抵抗の少ない弾性機能を持つ弓形耕転爪ホルダー着脱用藁草屑等巻き付き防止ピン１４・１５又は、弾性機能を持つ弓形耕転爪ホルダー固定用藁草屑等巻き付き防止ピン１６・１７と弾性機能を持つ土はね防止カバー用着脱用藁草屑等巻き付き防止ガイド１８・１９を取り付けることによりトラクタのロータリー機構の藁草屑等の巻き付き防止が実現した。なお、本発明の部品は、常時取り付けておいても耕転作業等には支障はない。
【実施例１】
【０００９】
請求項１による本発明装置いわゆる弾性機能を持つ着脱用藁草屑等巻き付き防止ピン１４・１５の実施例は、図３〜図８の背面図、斜視図、側面図等に示すように本発明装置の弾性機能を持つ着脱用藁草屑等巻き付き防止ピン１４・１５をロータリー機構の左右の弓形耕転爪８・８ａの耕転爪ホルダー６の耕転爪固定用ボルト１２を使用して取り付け、固定することによって藁草屑等の巻き付きを防止することができる。
【実施例２】
【００１０】
請求項２による本発明装置いわゆる弾性機能を持つ固定用藁草屑等巻き付き防止ピン１６・１７の実施例は、図９〜図１４の背面図、斜視図、側面図等に示すように本発明装置の弾性機能を持つ固定用藁草屑等巻き付き防止ピン１６・１７をロータリー機構の左右の弓形耕転爪８・８ａの耕転爪ホルダー６の上部に直接固定して、取り付けることによって藁草屑等の巻き付きを防止することができる。
【実施例３】
【００１１】
請求項３による本発明装置いわゆる弾性機能を持つ土はね防止カバー用着脱用藁草屑等巻き付き防止ガイド１８・１９の実施例は、図３〜８・図１０・図１１・図１３・図１４の背面図、斜視図、側面図等に示すように本発明装置の弾性機能を持つ土はね防止カバー用着脱用藁草屑等巻き付き防止ガイド１８・１９をロータリー機構の左右の土はね防止カバー１０・１１を使用してボルト１２ａ・ナット１３ａで取り付け、固定することによって藁草屑等の巻き付きを防止することができる。
【産業上の利用可能性】
【００１２】
トラクタのロータリー機構、耕運機、作業機等、特に構造上等の変更はしないで弓形耕転爪の藁草屑等巻き付き防止に利用できる。
【図面の簡単な説明】
【００１３】
【図１】トラクタ全体側面図
【図２】ロータリー耕転装置後方断面図
【図３】右側の弓形耕転爪８の耕転爪ホルダー６の耕転爪固定用ボルト１２を使用して取り付ける弾性機能を持つ着脱用藁草屑等巻き付き防止ピン１４（実施例１）及び右側の土はね防止カバー１０を使用してボルト１２ａ・ナット１３ａで取り付ける弾性機能を持つ着脱用藁草屑等巻き付き防止ガイド１８（実施例３）の取り付け位置を示した見取図
【図４】右側の弓形耕転爪８の耕転爪ホルダー６の耕転爪固定用ボルト１２を使用して取り付ける弾性機能を持つ着脱用藁草屑等巻き付き防止ピン１４（実施例１）及び右側の土はね防止カバー１０を使用してボルト１２ａ・ナット１３ａで取り付ける弾性機能を持つ着脱用藁草屑等巻き付き防止ガイド１８（実施例３）の取り付け位置を示した立面図
【図５】右側の弓形耕転爪８の耕転爪ホルダー６の耕転爪固定用ボルト１２を使用して取り付ける弾性機能を持つ着脱用藁草屑等巻き付き防止ピン１４（実施例１）及び右側の土はね防止カバー１０を使用してボルト１２ａ・ナット１３ａで取り付ける弾性機能を持つ着脱用藁草屑等巻き付き防止ガイド１８（実施例３）の取り付け位置を示した側面図
【図６】左側の弓形耕転爪８ａの耕転爪ホルダー６の耕転爪固定用ボルト１２を使用して取り付ける弾性機能を持つ着脱用藁草屑等巻き付き防止ピン１５（実施例１）及び左側の土はね防止カバー１１を使用してボルト１２ａ・ナット１３ａで取り付ける弾性機能を持つ着脱用藁草屑等巻き付き防止ガイド１９（実施例３）の取り付け位置を示した見取図
【図７】左側の弓形耕転爪８ａの耕転爪ホルダー６の耕転爪固定用ボルト１２を使用して取り付ける弾性機能を持つ着脱用藁草屑等巻き付き防止ピン１５（実施例１）及び左側の土はね防止カバー１１を使用してボルト１２ａ・ナット１３ａで取り付ける弾性機能を持つ着脱用藁草屑等巻き付き防止ガイド１９（実施例３）の取り付け位置を示した立面図
【図８】左側の弓形耕転爪８ａの耕転爪ホルダー６の耕転爪固定用ボルト１２を使用して取り付ける弾性機能を持つ着脱用藁草屑等巻き付き防止ピン１５（実施例１）及び左側の土はね防止カバー１１を使用してボルト１２ａ・ナット１３ａで取り付ける弾性機能を持つ着脱用藁草屑等巻き付き防止ガイド１９（実施例３）の取り付け位置を示した側面図
【図９】右側の弓形耕転爪８の耕転爪ホルダー６の上の部分に直接固定する弾性機能を持つ耕転爪ホルダー固定用藁草屑等巻き付き防止ピン１６（実施例２）の取り付け位置を示した見取図
【図１０】右側の弓形耕転爪８の耕転爪ホルダー６の上の部分に直接固定する弾性機能を持つ耕転爪ホルダー固定用藁草屑等巻き付き防止ピン１６（実施例２）及び右側の土はね防止カバー１０を使用してボルト１２ａ・ナット１３ａで取り付ける着脱用藁草屑等巻き付き防止ガイド１８（実施例３）の取り付け位置を示した立面図
【図１１】右側の弓形耕転爪８の耕転爪ホルダー６の上の部分に直接固定する弾性機能を持つ耕転爪ホルダー固定用藁草屑等巻き付き防止ピン１６（実施例２）及び右側の土はね防止カバー１０を使用してボルト１２ａ・ナット１３ａで取り付ける弾性機能を持つ着脱用藁草屑等巻き付き防止ガイド１８（実施例３）の取り付け位置を示した側面図
【図１２】左側の弓形耕転爪８ａの耕転爪ホルダー６の上の部分に直接固定する弾性機能を持つ耕転爪ホルダー固定用藁草屑等巻き付き防止ピン１７（実施例２）の取り付け位置を示した見取図
【図１３】左側の弓形耕転爪８ａの耕転爪ホルダー６の上の部分に直接固定する弾性機能を持つ耕転爪ホルダー固定用藁草屑等巻き付き防止ピン１７（実施例２）及び左側の土はね防止カバー１１を使用してボルト１２ａ・ナット１３ａで取り付ける弾性機能を持つ着脱用藁草屑等巻き付き防止ガイド１９（実施例３）の取り付け位置を示した立面図
【図１４】左側の弓形耕転爪８ａの耕転爪ホルダー６の上の部分に直接固定する弾性機能を持つ耕転爪ホルダー固定用藁草屑等巻き付き防止ピン１７（実施例２）及び左側の土はね防止カバー１１を使用してボルト１２ａ・ナット１３ａで取り付ける弾性機能を持つ着脱用藁草屑等巻き付き防止ガイド１９（実施例３）の取り付け位置を示した側面図
【符号の説明】
【００１４】
１  トラクタ動力部分
２  ロータリー耕転装置（作業機部分）
３  右側の弾性機能を持つ着脱用藁草屑等巻き付き防止ピン１４（請求項１）及び右側の弾性機能を持つ耕転爪ホルダー固定用藁草屑等巻き付き防止ピン１６（請求項２）並びに右側の弾性機能を持つ着脱用藁草屑等巻き付き防止ガイド１８（請求項３）の取り付け位置
４  左側の弾性機能を持つ着脱用藁草屑等巻き付き防止ピン１５（請求項１）及び左側の弾性機能を持つ耕転爪ホルダー固定用藁草屑等巻き付き防止ピン１７（請求項２）並びに左側の弾性機能を持つ着脱用藁草屑等巻き付き防止ガイド１９（請求項３）の取り付け位置
５  耕転爪回転軸
６  耕転爪ホルダー 
７  耕転爪
８  右側の弓形耕転爪
８ａ  左側の弓形耕転爪
９  耕転爪回転軸の軸受けケース
１０  右側土はね防止カバー
１１  左側土はね防止カバー
１２  耕転爪固定用ボルト
１２ａ  ボルト
１３  耕転爪固定用ナット
１３ａ  ナット
１４  右側の弾性機能を持つ耕転爪ホルダー着脱用藁草屑等巻き付き防止ピン（請求項１）
１５  左側の弾性機能を持つ耕転爪ホルダー着脱用藁草屑等巻き付き防止ピン（請求項１）
１６  右側の弾性機能を持つ耕転爪ホルダー固定用藁草屑等巻き付き防止ピン（請求項２）
１７  左側の弾性機能を持つ耕転爪ホルダー固定用藁草屑等巻き付き防止ピン（請求項２）
１８  右側の弾性機能を持つ着脱用藁草屑等巻き付き防止ガイド（請求項３）
１９  左側の弾性機能を持つ着脱用藁草屑等巻き付き防止ガイド（請求項３）
２０  耕転爪回転軸の軸受けケース９と左右の土はね防止カバー１０・１１との凹凸いわゆる隙間
【図１】
0003824611.tif 000002
【図２】
0003824611.tif 000003
【図３】
0003824611.tif 000004
【図４】
0003824611.tif 000005
【図５】
0003824611.tif 000006
【図６】
0003824611.tif 000007
【図７】
0003824611.tif 000008
【図８】
0003824611.tif 000009
【図９】
0003824611.tif 000010
【図１０】
0003824611.tif 000011
【図１１】
0003824611.tif 000012
【図１２】
0003824611.tif 000013
【図１３】
0003824611.tif 000014
【図１４】
0003824611.tif 000015